(57)【要約】【課題】浄化槽内に揮散物質たる殺虫成分を含有する担体を適宜数吊下げて、槽内蓄積たる排水、汚水上に形成される空間に殺虫成分を含むエアーを放散させる場合、蒸発する水分、曝気等により飛散する汚水、汚物、洗剤等より発生する多量の泡等が担体に付着し、害虫駆除能力が低下する。【解決手段】浄化槽を別個に設けた密封容器に、殺虫性化合物たる害虫駆除剤を収容乃至設置自在とする。密封容器にブロアーよりエアーを送り、常温において揮散している殺虫性化合物をエアーにより浄化槽へ送り、浄化槽内空間部に行き渡らせる。【選択図】図１
2010110282.tif 000002
【特許請求の範囲】
【請求項１】
蓋体を開閉自在と為した密封容器に常温で揮散する殺虫性化合物を収容乃至設置自在にして、密封容器内に揮散する殺虫性化合物含有エアーを送気管にて浄化槽等に挿入させ、空間部等の所望の箇所に行き亘らせることを特徴とする浄化槽等の害虫駆除方法。
【請求項２】
蓋体を開閉自在と為した密封容器に、常温で揮散する殺虫性化合物の収容乃至設置部を設け、該密封容器にはブロアーを連通させると共に、該密封容器には揮散する殺虫性化合物を排出管等へ連結する送気管により浄化槽へ送入自在としたことを特徴とする浄化槽等の害虫駆除装置。
【請求項３】
ブロアーに連結した散気管に分岐管を設け、密封容器に連結し、送気管により排出管等へ連通したことを特徴とする請求項２に記載の浄化槽等の害虫駆除装置。
【発明の詳細な説明】
【技術分野】
【０００１】
本発明は、浄化槽等の害虫駆除方法及び装置に関する。
【背景技術】
【０００２】
浄化槽内で発生するハエ、蚊等害虫の除去乃至発生予防については、使用者、管理者等において困難な問題である。
浄化槽内の害虫駆除の方法、装置として、常温で揮散し続ける殺虫性化合物を含浸乃至付着させた担体を、浄化槽内の空間部に配置して長期間に亘って駆除するものが提案されている（特許文献１、２）。
【０００３】
又、従来の殺虫方法、装置として、容器内に殺虫剤をその殺虫剤の形状、性能、作用等に応じて構成設置し、必要に応じ加熱ヒーターにより蒸発、揮発、蒸散させて、これら殺虫成分をファンにより強制的に拡散させるものが各種提案されている（特許文献３、４、５、６、７、８）。
【０００４】
【特許文献１】特開平９−１２４０５号公報
【特許文献２】特開２００６−２２５４０８号公報
【特許文献３】特開昭５８−４５３３号公報
【特許文献４】実公昭４９−２６１４１号公報
【特許文献５】実開昭５２−１６６１０７号公報
【特許文献６】実公平１−３５６７１号公報
【特許文献７】実公昭６２−６２１１号公報
【特許文献８】特開平６−１５３７５２号公報
【発明の開示】
【発明が解決しようとする課題】
【０００５】
しかしながら、浄化槽内に殺虫性化合物より成る害虫駆除剤を空間部に配置して、殺虫成分の揮散により長期間に亘って駆除することは想定するほどの効果を挙げることは困難であることが解かっている。
【０００６】
それは、害虫駆除剤は紙、プラスチック等のプレート状に形成された担体に付着、含浸させて形成させ、該担体を浄化槽内に吊るして設置されるため、浄化槽内は殺虫成分が揮散し有効に作用する当初の間は、殺虫効果により害虫駆除が行われているが、時間の経過により浄化槽内に蓄積される雑排水、汚水等により蒸発する水分、入り込む塵、埃等が担体に付着し、薬効成分の揮散を防げ駆除能力が落ちてくる。
【０００７】
更に、例えば、合併槽においては、洗剤等の泡が多く発生し、槽中の空間部が泡で埋まってしまうことがあり、かかる場合、害虫駆除剤の担体も包み込まれ、空気の流通も抑制され、その後著しく汚れが付着し、害虫駆除能力の低下を早めることになる。
【０００８】
又、浄水槽底部に設けられた曝気機構より放出されるエアーにより、飛散する汚水、汚泥等が担体に付着することもある。
そこに、害虫の発生が増えてくると、益々能力が落ち、薬剤そのもに付着するものもあり、予定の例えば３ヶ月も殺虫効果を挙げることが困難な状況となることが多い。
勿論、殺虫性化合物より成る害虫駆除剤の保守点検を頻繁に行えば問題ないが、一般的に保守点検は回避したい作業であり、業者任せになっており、管理者、使用者が行うことは殆どなく、費用の問題等もあり、常時行うことは困難で、害虫駆除剤の駆除能力が落ちてから、それを交換することが多い。
【課題を解決するための手段】
【０００９】
そこで、本発明においては、直接、浄化槽内に害虫駆除剤担体を吊下げるような浄化槽への直接作業を避けることにより、誰にでも担体交換作業を容易に実施できることにより、害虫駆除剤の薬効を常時充分に発揮させ、害虫を確実に駆除させる方法、装置を提案する。
【００１０】
又、浄化槽内に吊下げるような設置場所を特定することなく、一定の空気の流れで浄化槽内に害虫駆除剤の薬効を充分行き亘らせ、害虫駆除効果を挙げる方法、装置を提案する。
【００１１】
本発明は、これら目的を達成するため、蓋体を開閉自在と為した密封容器に常温で揮散する殺虫性化合物を収容乃至設置自在にして、密封容器内に揮散する殺虫性化合物含有エアーを送気管にて浄化槽等に挿入させ、空間部等の所望の箇所に行き亘らせることを特徴とする浄化槽等の害虫駆除方法である。
【００１２】
又、蓋体を開閉自在と為した密封容器に、常温で揮散する殺虫性化合物の収容乃至設置部を設け、該密封容器にはブロアーを連通させると共に、該密封容器には揮散する殺虫性化合物を排出管等へ連結する送気管により浄化槽へ送入自在としたことを特徴とする浄化槽等の害虫駆除装置である。
【００１３】
又、ブロアーに連結した散気管に分岐管を設け、密封容器に連結し、送気管により排出管等へ連通したことを特徴とする浄化槽等の害虫駆除装置である。
【発明の効果】
【００１４】
本願発明によれば、浄化槽には直接触れることなく、且つ浄化槽内を亘ることもなく、密封容器内に殺虫性化合物を収納、収容させる構成であり、誰でも容易に簡単に、且つ不潔感を感ずることなく、衛生的に殺虫性化合物の容器への着脱を行うことが出来る。
このため、頻繁に殺虫性筐産湯の新規設置、交換が容易で、常に殺虫効果の大なる殺虫化合物のエアーを浄化槽等に送入することが出来、害虫の駆除、予防に万全を期することが出来る。
【発明を実施するための最良の形態】
【００１５】
図１に示す本発明一実施例により、本発明を詳細に説明する。
１は、浄化槽で、一般的な分離曝気型浄化槽を示すが、これに限定されることなく各種の浄化槽を使用することが出来ること当然である。
【００１６】
更に、浄化槽１だけに限定することなく、一定の閉塞された空間でエアー排出入口があれば使用できる。
例えば、水槽、下水槽、下水槽等使用範囲は広い。
浄化槽１は、隔壁２，２により各室３，３，３に分割され、隔壁２，２に沿って設けられ、底板５より上方に位置する化切板４，４によって通路６，６が形成されている。
【００１７】
又、浄化槽１出口７の側壁１１に対応して仕切板４１が設けられ、通路６１が形成されている。出口７と反対側の側壁１２には入口８が形成され、排出管１３に連結してある。
９，９，９は、浄化槽１上部に設けられた開口で、各蓋１０，１０，１０が浄化槽１を密封するように開閉自在に設けられている。
【００１８】
排出管１３には、夫々トラップ１４を経て雑排水排出管１５、汚水排出管１６が連結されている。
２０は、密封容器で軽耐圧ボックス型とするのが良く、対称側壁２１，２２には夫々送入口２３、送出口２４が設けられ、送入口２３にはフロート２５を介してブロアー２６に連結してある。送出口２４は、送気管２０１を以って排出管１３に連結してある。
【００１９】
２７は、密閉蓋で、軽耐圧性を有する如く、開閉自在に設置されている。密封容器２０には、その上方に枠組を組み、或いは密閉蓋２７に直接、害虫駆除剤担体２８，２８…を鉤型等の引き掛け係止自在とした係止部２９，２９…を設けてある。この係止部２９としては、他に前記担体を収納する袋、網袋、開放容器等収納体或いは設置部材等各種が使用できる。
【００２０】
害虫駆除剤としては、ジクロルボス、ピレスロイド化合物、フルオロベンジルエステル化合物、ジクロルビニルリン酸ジメチル等の化合物をプラスチック、紙等の殺虫性化合物をプレート、シート状の担体２８に含浸、付着させて形成させたものが使用される。
【００２１】
この担体２８を適宜数、密封容器２０に収容する。害虫駆除剤によるが、一般的に浄化槽１内の空間１ｍ３当たり５００〜１００００ｃｍ２程度の担体の量が好ましいとされている。
【００２２】
密封容器２０には、送入口２３に対応して通孔３０１，３０１…を有する拡散板３０が設けられ、送入口２３から送入されたエアーを拡散させ、担体２８，２８…に柔らかく当たり或いは担体２８から揮散する殺虫性化合物を吹いて、送出口２４より送り出す作用を行う。
【００２３】
送入口２３には、ブロアー２６よりエアーがエアー調整弁３３、フロート２５を介して送り込まれている。ブロアー２６には、エアー逃がし弁３１を介して、消音ボックス３２が連結されている。
【００２４】
３４は、ブロアーで、散気管３５を介して浄化槽１にエアーを送り、好気性菌の活性を図り、排水、汚水の分解を促進させるようにしてある。
尚、当然のことながら、嫌気性菌を使用する場合には、その槽なり、室なりには、エアーは送り込まないほうが良く、エアー送入阻止機構等によりエアーを断つのが良いこと勿論である。
【００２５】
次いで、本発明の殺虫方法について説明する。
密封容器２０の密封容器２７を開け、係止部２９，２９…に担体２８，２８…をその形状に応じ、引き掛け、収納等して設置する。密封蓋２７を閉じ、運転を開始する。
先ず、ブロアー２６を作動させ、エアー逃がし弁３１を閉じ、エアー調整弁３３を開放して、エアーをフロート２５を介して密封容器２０に送入する。
【００２６】
然る時、エアーは、拡散板３０に当たり力を弱められ、各通孔３０１，３０１を経過して、密封容器２０内に拡散する。
そして、担体２８，２８…により、蒸発する殺虫性化合物がエアーに包まれ、送出口２４より送り出され、送気管２０１を経由して、排出管１４を通り、浄化槽１に送入される。浄化槽１内においては、浄化槽１上部の各蓋３，３…に溜められる排水、汚水は好気性菌により分解され、浄化され、排出口７より順次排出されて行く。この際、浄化槽１には、ブロアー４０より浄化槽散気管４１を経て、常にエアーが送り込まれ、排水、汚水は曝気され続けている。
【００２７】
従来の浄化槽において、このエアーは、排水、汚水の表面に亘って接触し、各室３，３…に行き渡るが、そのまま排出口７より流されて、浄化槽１上方、殊に蓋１０，１０…近辺に流れるエアーは少ない。
本願発明の場合には、殺虫性化合物を含んだエアーが排出管１３より送り出され、排水、汚水と浄化槽１上方、殊に蓋１０近辺との空間を進行し、一部は各室３，３内の排水、汚水上にに降りるが、該排水、汚水上方の空間を殺虫性化合物により充満させて進み、浄化槽１の上方たる蓋１０，１０…近辺を満たし、排出口７より排出される。
【００２８】
このため、害虫の発生し易く、且つ生臭い、排出管１３内全て、浄化槽１の空間１０１が、殺虫状化合物により満たされ、且つその状態が持続され、該害虫の生息状況は消滅している。
【００２９】
又、図２が示す第２実施例について説明する。
基本型は、図１と同じであるが、該実施例においては、小規模浄化槽において実施される形態で、浄化槽散気管３５にエアーを送る作動と、密封容器２０にエアーを送る動作とを共通のブロアー３４だけで行う方法及び装置である。この装置の場合、ポンプとしては、ダイヤフラム型を使用するのが通例である。
【００３０】
即ち、ブロアー２６よりのエアーを、浄化槽散気管３５及び該散気管３５より分岐エアー調整弁３５２を経て、密封容器２０に至る分岐管３５１に送る構成としたものである。
これにより、浄化槽１には、散気管３５より曝気エアーを送ると同時に、排気管１３或いは又、入口８に殺虫性化合物を含むエアーを送り込むことになる。
この場合、送気管２０１の出口を排出管１３に挿入するが、浄化槽１の入口８の何れにも設定することが出来る。
【００３１】
次に、図３に示す実施例について説明する。
この実施例においては、密封容器２０には液体の殺虫性化合物たる害虫駆除液を収容させ、フロート２５を介して送られるエアーにより、液中より発泡させ、液の揮散を促進させると共に、浮上した揮発性化合物を含むエアーを送出口２４より送り、送気管２０１を介して浄化槽１に、揮発性化合物を含むエアーを放散させ続けることにより、害虫の生息状況をなくして、害虫駆除効果を挙げることが出来る。
この殺虫性化合物たる害虫駆除液は、前記第１実施例、第２実施例何れかにおいても使用出来ること勿論である。
【図面の簡単な説明】
【００３２】
【図１】本発明一実施例概略説明図
【図２】本発明他実施例概略説明図
【図３】本発明他実施例要部説明図
【図４】本発明一実施例一部拡大説明図
【符号の説明】
【００３３】
１      浄化槽
２      隔壁
３      蓋
４      仕切板
６      通路
７      出口
１１    側壁
４１    仕切板
１２    側壁
８      入口
９      開口
１０    蓋
１３    排出管
１５    雑排水排出管
１６    汚水排出管
２０    密封容器
２１    側壁
２２    側壁
２３    送入口
２４    送出口
２５    フロート
２６    ブロアー
２０１  送気管
２７    密閉蓋
２８    担体
２９    係止部
３０１  通孔
３０    拡散板
３１    エアー逃がし弁
３３    エアー調整弁
３２    消音ボックス
３４    ブロアー
３５    散気管
１０１  空間
３５１  分岐管
３５２  エアー調整弁
【図１】
2010110282.tif 000003
【図２】
2010110282.tif 000004
【図３】
2010110282.tif 000005
【図４】
2010110282.tif 000006